(57)【要約】      （修正有）【課題】操作特性が有利なカードホルダの提供。【解決手段】カードホルダは直方体状のハウジング１を有する。このハウジング１は、２つの主面２，３と、２つの長い幅狭面４，５と、短い幅狭面にあるカード開口部６と、対向する短い幅狭面にある底面７とを有する。これらの面２，３，４，５はハウジング１の壁部である。キャリア２４はハウジング１を下部開口部４３で終端させて、ハウジング１の底面７を形成する。ハウジング１は、頂部の長い幅狭面５に、スライドボタンの形をした駆動要素４４を有する。スライドボタンは長い幅狭面５の外面にある凹部に配置され、そのため、凹部で１本の指を用いて外側から垂直方向に変位可能である。【選択図】図１
2018187367.tif 000002
【特許請求の範囲】
【請求項１】
銀行カード、クレジットカード、デビットカード、運転免許証、電子ＩＤカード、あるいは類似のカード用のカードホルダは、以下を備える：
■少なくとも１枚のカード（１１）を収納する内部（９）を備えた直方体状（ｃｕｂｏｉｄａｌ）のハウジング（１）と、
■少なくとも１枚のカード（１１）を前記ハウジングに挿入し、少なくとも１枚のカード（１１）を前記ハウジング（１）から押出す、前記ハウジング（１）のカード開口部（６）と、
■前記内部（９）で１枚のカード（１１）の下縁部と係合し、前記１枚のカード（１１）を前記カード開口部（６）を通して前記ハウジング（１）から押出すための、第１の位置から第２の位置に変位可能な少なくとも１つの分配要素（１８）と、
■駆動要素（４４）であって、前記駆動要素（４４）を駆動させることによって前記分配要素（１８）を前記第１の位置から前記第２の位置まで変位させるために、前記分配要素（１８）に連結されている駆動要素（４４）と、を備え、以下を特徴とする：
■第１のばね装置（２７）が、一方が前記分配要素（１８）に、他方が前記ハウジング（１）に支持されており、前記分配要素（１８）を前記第２の位置から前記第１の位置に変位させることによって、前記第１のばね装置（２７）に張力をかけることができ、
■ロック装置が、前記分配要素（１８）に接続されている第１のロック要素（２２）と、前記ハウジング（１）に接続されている第２のロック要素（３７）とを有し、そのため、前記分配要素（１８）を前記第１の位置に変位させることによって、前記２つのロック要素（３２，３７）が共にロック可能であり、
■前記駆動要素（４４）を駆動させることによって前記第１のロック要素および第２のロック要素（３２，３７）のロックを解除するために、前記駆動要素（４４）が前記ロック装置に連結され、それによって、前記カード（１１）を前記カード開口部（６）から押出すために、前記第１のばね装置（２７）が前記分配要素（１８）を前記第１の位置から前記第２の位置に変位させる。
【請求項２】
カードが千鳥状の配置で前記ハウジング（１）から前後に突出するように、重なった異なるカード（１１）の下縁部と内部で係合し、かつ前記カード（１１）を前記カード開口部（６）を通って前記ハウジング（１）から押出すために、複数の分配要素（１８）が第１の位置から第２の位置に変位可能である、請求項１に記載のカードホルダ。
【請求項３】
少なくとも１枚のカード（１１）が前記カード開口部（６）を通って前記ハウジング（１）に挿入され、かつ前記下縁部で分配要素（１８）を押圧することによって、前記少なくとも１つの分配要素（１）を前記第２の位置から前記第１の位置に変位させることにより、前記第１のばね装置（２７）に張力がかけられるように、前記少なくとも１つの分配要素（１８）が構成されている、請求項１または２に記載のカードホルダ。
【請求項４】
分配レバー（１５）を有し、前記分配レバー（１５）はその一端が軸（１６）を中心に枢動可能に前記ハウジング（１）に装着されており、一面には階段状に前記軸から異なる間隔で構成されている分配要素（１８）を有する、請求項１から３のうちの一項に記載のカードホルダ。
【請求項５】
前記第１のばね装置（２７）が脚ばね、あるいは板ばねであり、前記分配要素（１８）の第１のばね端部（２９）および前記ハウジング（１）の第２のばね端部（３１）によって支持されている、請求項１または２に記載のカードホルダ。
【請求項６】
前記駆動要素（４４）がスライド（３４）に連結されており、前記スライド（３４）は、前記ハウジング（１）内に変位可能に配置され、前記ハウジングの案内装置（３３，３５）によって前記カード（１１）の挿入方向と交差する方向に案内され、前記第２のロック要素（３７）がその上に構成される、請求項１から５のうちの一項に記載のカードホルダ。
【請求項７】
前記スライド（３４）を前記第２のロック要素（３７）によって前記第１のロック要素（２２）をロックする位置で予め張力をかけるために、第２のばね装置（４１）が、一方が前記スライド（３４）に、他方が前記ハウジング（１）に支持されている、請求項６に記載のカードホルダ。
【請求項８】
前記駆動要素（４４）が、楔形の歯車（４９）、歯車列、摩擦車、ベルト・チェーン・ドライブ、連結歯車、または他の歯車を介して前記スライド（３４）に連結されている、請求項６または７に記載のカードホルダ。
【請求項９】
前記駆動要素（４４）がロッド（４６）を介して第１のくさび（４７）に接続されており、前記ロッド（４６）は前記カード（１１）の挿入方向に対して平行に延び、前記第１のくさび（４７）は、前記スライドの一端で第２のくさび（４８）と共に楔形の歯車（４９）を形成する、請求項８に記載のカードホルダ。
【請求項１０】
前記駆動要素（４４）が、前記カード開口部と対向する前記ハウジング（１）の一面よりも前記カード開口部（６）に近くなるように配置されている、請求項１から９のうちの一項に記載のカードホルダ。
【請求項１１】
前記ハウジング（１）における前記カード（１１）の挿入方向に対して平行な１つ以上の面に、第１のブレーキ要素（５０）が前記内部（９）の下端部に配置され、かつ／または、第２のブレーキ要素または案内要素（５１）が、前記内部（９）の下端部と上端部の間の中間に配置され、かつ／または、第３のブレーキ要素（５２）が前記内部（９）の上端部に配置される、請求項１から１０のうちの一項に記載のカードホルダ。
【請求項１２】
前記ハウジング（１）が内面に少なくとも１つのチャネル（１０）を有し、前記チャネル（１０）は長手方向に延び、スロット（８）を介して前記ハウジング（１）の前記内部（９）に接続されており、前記ロッド（４６）がその中に案内され、かつ／または前記第１のブレーキ要素（５０）、および／または前記第２のブレーキ要素または案内要素（５１）、および／または前記第３のブレーキ要素（５３）がその中に保持される、請求項１から１１のうちの一項に記載のカードホルダ。
【請求項１３】
前記駆動要素（４４）が１本の指だけで外側から駆動できるように、前記ハウジング（１）の外側の凹部（４５）に配置されている、請求項１から１２のうちの一項に記載のカードホルダ。
【請求項１４】
前記ハウジング（１）は水平断面が２つの平行面（２，３）の両縁部でその間よりも厚く、かつ／または、２つのさらなる平行面（４，５）が丸みをつけられている、請求項１から１３のうちの一項に記載のカードホルダ。
【請求項１５】
以下の特徴のうちの１つ以上を備える、請求項２から１２のうちの一項に記載のカードホルダ：
（ａ）軸受小穴（２５）を備えた板状の軸受キャリア（２３）が板状のキャリア（２４）から突出し、前記軸受キャリア（２３）の平面にある前記分配レバー（１５）を枢動可能に収納する軸受ピン（２１）が、前記軸受小穴に保持されており；
（ｂ）前記軸受小穴（２５）からある距離でそれに平行な支持ピン（２６）が前記軸受キャリア（２３）から突出し、脚ばね（２７）が前記支持ピンに内周縁（２８）で保持され、前記脚ばね（２７）の前記第１のばね端部（２９）が前記分配レバー（１５）の下面にある第１の当接部（３０）で支持され、前記脚ばね（２７）の前記第２のばね端部（３１）が前記軸受小穴（２５）からある距離で前記キャリア（２４）の第２の当接部（３２）で支持されており；
（ｃ）前記スライド（３４）が前記キャリア（２４）に配置されおり；
（ｄ）前記軸受キャリア（２３）が第１の案内要素（３３）を有し、前記スライド（３４）が前記第１の案内要素（３３）で案内される第２の案内要素（３５）を有し；
（ｅ）前記スライド（３４）と前記分配レバー（１５）と前記脚ばね（２７）とを備えた前記キャリア（２４）が、前記カード開口部（６）に対して前記ハウジング（１）の下部開口部（４３）を通って前記ハウジング（１）に挿入されるので、前記分配レバー（１５）と前記スライド（３４）と前記脚ばね（３７）とが、前記ハウジング（１）内に配置され、前記キャリア（２４）が前記下部開口部（４３）を覆う前記ハウジング（１）の底面（７）であり；
（ｆ）挿入位置にある前記キャリア（２４）が、前記ハウジング（１）に圧着するか、かつ／または係合するか、かつ／または接着することによって、前記ハウジング（１）に接続される。
【発明の詳細な説明】
【技術分野】
【０００１】
本発明は、クレジットカードおよび他のカード用のカードホルダに関する。
【背景技術】
【０００２】
欧州特許公開第０  ２８７  ５３２Ａ２号は、カードホルダを開示している。このカードホルダは、開口上面を備えた直方体状（ｃｕｂｏｉｄａｌ）のハウジングと、カバーと、クレジットカードの重なりを収納するように寸法決めされた内部とを備える。カードホルダはハウジングの底面に分配装置を有する。この分配装置は、手動で個々のカードを開口上面とは異なる程度で部分的に押出すように手動で外面から駆動可能である。分配装置は枢動アームを備える。この枢動アームは、ハウジングの主面に対して垂直の軸を中心に枢動可能であり、１つの面には一連の段がある。この段は、ハウジング内に配置されているカード数に対応している。この段には接合軸から異なる間隔で配置されている凸部があり、その各凸部は、単一のカードの下縁部と接触するように構成されている。手動での駆動が可能な駆動要素がハウジングの外面にあり、枢動アームと一体的に接続され、それと共に枢動可能である。駆動要素はピンである。このピンは、外側から枢動アームを駆動させるために、枢動アームの平坦面から段を含む面に対して外方に、ハウジングの主面にある円弧状のスロットを通って突出している。さらに、カードホルダは２つの幅狭面の内側に保持手段を有する。この保持手段は、カードを固定し、かつカードがハウジングから意図せず飛び出さないように、カードの側縁部と接触するように構成されている。一実施形態では、保持手段が、内方に突出するバルジ部を備えた、弾性的に変形可能なストリップである。
【０００３】
欧州特許第２  ４３４  ９２２Ｂ１号は、さらなるカードホルダを開示している。ここでは、分配装置が２本アームのレバーを有し、このレバーはハウジングの主面に対して垂直に向く軸を中心に枢動可能である。ハウジングに配置されている１つのアームが、段状に配置される分配要素を有し、他のアームが、分配装置を外側から駆動させるためにハウジングの底面から突出する駆動要素である。さらなる実施形態では、分配装置は脚付のＵ字型の本体を有する。この本体は、ハウジング内に配置され、ハウジングからカードを連続して押出すための段と、ハウジングの外側に配置され、外側から操作可能な駆動要素を構成する脚部と、２つの脚部を接続する底面であって、ハウジングの幅狭面の底面の近くにあるスロットを通って外方に案内されている。分配装置は復帰ばねによって初期退避位置に自動的に戻されるので、カードをすべて選択した後、ユーザは残りのカードを自由に押し戻すことができる。このカードホルダでは、摩擦要素が、たとえば金属の繊維から作られるフェルトとして設計されている。
【０００４】
知られているカードホルダの欠点は、駆動要素が不都合に位置決めされ、それによってハウジングの保持と同時に、片手のみを使用した駆動要素の駆動とがより困難となることである。さらに、枢動アームの駆動路が長い。しかし、押出されたカードのうちの１枚を取出し、他方の手を使用して残りのカードを押し戻すのに、片手の操作は有利となり得る。一実施形態では弾性ストリップである従来のカードホルダの保持手段では、この保持手段は、製造公差によってわずかに寸法が異なるカードの重なりのうち複数のカードを正確に保持することが不可能であり、あるいは、フェルトとして設計された場合、弾性が不十分であり、圧着動作が経時的に減少する。
【０００５】
そこから、本発明の目的は、銀行カード、クレジットカード、デビットカード、運転免許証、電子ＩＤカード、あるいは類似のカード用の、より操作特性が有利なカードホルダを提供することである。
【０００６】
本目的は、請求項１の特徴を有するカードホルダによって達成される。カードホルダの有利な実施形態は、従属請求項に開示されている。
【０００７】
本発明による銀行カード、クレジットカード、デビットカード、運転免許証、電子ＩＤカード、あるいは類似のカード用のカードホルダは、
■少なくとも１枚のカードを収納する内部を備えた直方体状（ｃｕｂｏｉｄａｌ）のハウジングと、
■少なくとも１枚のカードを上記ハウジングに挿入し、少なくとも１枚のカードを上記ハウジングから押出す、上記ハウジングのカード開口部と、
■上記内部でカードの下縁部と係合し、上記カードをカード開口部を通して上記ハウジングから押出すための、第１の位置から第２の位置に変位可能な少なくとも１つの分配要素と、
■駆動要素であって、この駆動要素を駆動させるによって分配要素を上記第１の位置から上記第２の位置まで変位させるために、上記分配要素に連結されている駆動要素と、を備え、以下を特徴とする：
■第１のばね装置が、一方が上記分配要素に、他方がハウジングに支持されており、上記分配要素を上記第２の位置から上記第１の位置に変位させることによって、上記第１のばね装置に張力をかけることができ、
■ロック装置が、上記分配要素に接続されている第１のロック要素と、上記ハウジングに接続されている第２のロック要素とを有し、そのため、上記分配要素を上記第１の位置に変位させることによって、上記２つのロック要素が共にロック可能であり、
■上記駆動要素を駆動させることによって上記第１および第２のロック要素のロックを解除するために、上記駆動要素が上記ロック装置に連結され、それによって、上記カードを上記カード開口部から押出すために、上記第１のばね装置が上記分配要素を上記第１の位置から上記第２の位置に変位させる。
【０００８】
本発明によるカードホルダでは、少なくとも１つの分配要素を第２の位置から第１の位置に変位させることによって、上記第１のばね装置に張力がかけられる。好ましい実施形態によると、少なくとも１枚のカードをハウジングに挿入することによって張力が生じるように、分配要素が構成されている。あるいは、第１のばね装置に張力をかけるために、さらなる張力調整装置が存在する。この張力調整装置は、たとえば張力調整ノブに配置されている。この張力調整ノブは、分配要素に接続されており、ハウジングから溝付き貫通路を通って突出しており、そのため、分配要素を第２の位置から第１の位置に変位させることによって第１のばね装置に張力をかけるために、外側から駆動可能である。カードを押出すために、ユーザは駆動要素を駆動させるだけでよい。その結果、プレテンション位置にある第１のばね装置をロックするロック装置のロックが解除される。ロックを解除することによって、少なくとも１つの分配要素が第１のばね装置によって第１の位置から第２の位置に変位し、少なくとも１枚のカードがハウジングから突出するまでハウジングのカード開口部から押出される。したがって、第１のばね装置に張力をかけることによって保存されたエネルギは、少なくとも１枚のカードをハウジングから押出すのに使用される。この場合、第１のばね装置が部分的にあるいは全体的に解除される。
【０００９】
少なくとも１枚のカードを押出すためにロック装置のロックを解除する必要があるので、第１のばね装置がハウジングからカードを押出す。駆動要素は、ハウジングの有利な位置に配置されてもよく、駆動路が短くてもよい。このことは、片手操作が簡単なカードホルダに有利である。
【００１０】
好ましい実施形態によると、少なくとも１つのカードを分配するために、ハウジングが片手で保持可能であり、駆動要素が同じ手の親指で快適に操作可能であるように、駆動要素がカード開口部の近くに配置されている。好ましい実施形態によると、駆動要素がハウジングの幅狭面に配置されている。右利きの人は、右手の親指で操作要素を快適に駆動することができるように、カードホルダを右手で保持してもよい。左利きの人は、左手の親指で駆動装置に快適に到達するように、左手で１８０度回転させてカードホルダを保持してもよい。それぞれ他方の手は、押出されたカードを選択したり取出したりするのに利用可能であり、任意選択的に、まだ取出していない１枚以上のカードを挿入するのに利用可能である。その結果、カードホルダの取扱いが簡単になる。しかし、駆動要素が異なる位置に配置されている実施形態もまた、本発明に含まれる。
【００１１】
カードホルダのさらなる利点は、ロック装置のロックを使用することによって、ユーザが１枚または複数のカードが正確に挿入されると感じることである。したがって、ユーザは、１枚または複数のカードを目的通りに確実に挿入するであろう。
【００１２】
好ましい実施形態によると、カードが千鳥状の配置でハウジングから前後に突出するように、重なった異なるカードの下縁部と内部で係合し、かつそのカードをカード開口部を通ってハウジングから押出すために、複数の分配要素が第１の位置から第２の位置に変位可能である。複数の分配要素を用いて、各ケース内でカードがハウジングから異なる大きさで部分的に突出するように、カードがハウジングから押出される。その結果、個々のカードを重なりから簡単に選択し、ついで、カードはハウジングから完全に引き出すことができる。選択されていないカードは、ユーザによってハウジングに再度押戻されてもよい。
【００１３】
さらなる好ましい実施形態によると、少なくとも１枚のカードがカード開口部を通ってハウジングに挿入され、かつ下縁部で分配要素を押圧することによって、少なくとも１つの分配要素を第２の位置から第１の位置に変位させることにより、上記第１のばね装置に予め張力がかけられるように、少なくとも１つの分配要素が構成される。この実施形態では、カードを挿入することによって第１のばね装置に張力をかけてもよい。
【００１４】
さらなる実施形態によると、駆動要素は押しボタンまたはスライドボタンである。単なる並進運動によって駆動し、枢動させる必要はない。その結果、ロック解除がさらに簡単となる。
【００１５】
本発明のさらなる実施形態によると、カードホルダは分配レバーを有する。分配レバーはその一端が軸を中心に枢動可能にハウジングに装着されており、一面には階段状に構成されている少なくとも１つの分配要素を有する。分配レバーに１つの分配要素しかなくても、１枚のカードまたはすべてのカードの重なりをハウジングから均一に押出すことができる。好ましい実施形態によると、分配レバーはその一面に複数の分配要素を有する。この分配要素は、軸から異なる間隔で階段状に構成されている。この分配レバーを用いて、カードの重なりをハウジングから異なる程度で押出すことが可能である。
【００１６】
さらなる実施形態によると、分配レバーは、ハウジングの２つの主面に対して垂直な軸を中心に一端に枢動可能に装着されている。さらなる実施形態によると、分配レバーは、カード開口部に対してハウジングの一面の軸を中心に枢動可能に装着されている。さらなる実施形態によると、分配レバーは、ハウジングの幅狭面の内側に軸を中心に枢動可能に装着されている。さらなる実施形態によると、分配レバーは、ハウジングの短い幅狭面の内側に軸を中心に枢動可能に装着されている。
【００１７】
さらなる実施形態によると、第１の位置にある分配レバーがカード開口部と平行に位置合わせされ、第２の位置にある分配レバーがカード開口部に対して傾斜しているか、それに対して垂直に位置合わせされる。さらなる実施形態によると、カード開口部がハウジングの短い幅狭面に配置され、第１の位置にある分配レバーが、カード開口部と対向するハウジングの短い幅狭面の内側に配置されている。
【００１８】
有利な実施形態によると、カードホルダが、国際規格ＩＳＯ／ＩＥＣ  ７８１０Ｄ−１によるカード、好ましくは壁厚と丸みがＩＳＯ／ＩＥＣ  ７８１３によるカードを収納するように構成されている。さらなる実施形態によると、カードホルダが、非接触型チップ、または国際規格ＩＳＯ／ＩＥＣ  ７８１６による接触型搬送チップをそれぞれ収納するように構成されている。カードには、たとえば以下のような様々な機能があってもよい。すなわち、銀行カード（たとえば、クレジットカードや電子支払カード）、運転免許証、ＩＤカード、会員カード、割引カード（鉄道系カードなど）、プレミアム・クレジットカード（たとえばＭｉｌｅｓ  ＆  Ｍｏｒｅ  Ｃａｒｄ）、名刺などである。
【００１９】
さらなる実施形態によると、分配装置は、少なくとも１つの直線搬送部品に、たとえば分配ストリップに、少なくとも１つの分配要素を含む。この分配要素は、カード開口部からカードを押出すために、このカード開口部に向いて配置可能である。さらなる実施形態によると、分配ストリップが一面に少なくとも１つの階段状の分配要素を有する。
【００２０】
さらなる実施形態によると、第１のばね装置が脚ばね（「圧縮ばね」とも呼ばれる）であり、あるいは板ばねである。板ばねは、分配要素の第１のばね端部およびハウジングの第２のばね端部によって支持されている。脚ばねまたは板ばねは、第１のばね装置の特に省スペースの実施形態であり、対応する長いばね路によって、分配レバーを第１の位置から第２の位置に変位させることができる。さらに、これらは単純かつ経済的である。
【００２１】
さらなる実施形態によると、ロック装置がフックの形をした第１のロック要素を分配要素に、ロック縁部の形をした第２のロック要素をハウジングに備える。その結果、ロックとロック解除とが極めて簡単に機能的に高信頼性で行われる。
【００２２】
さらなる実施形態によると、分配レバーが分配要素の反対側に平坦なスライド面を備える。このスライド面は、ハウジングの主面の内部で案内される。その結果、分配レバーをハウジング内で低摩擦で変位させることができる。さらなる実施形態によると、分配要素に対する一面に、分配ストリップが平坦なスライド面を有していてもよい。このスライド面は、ハウジングの主面の内部で案内される。
【００２３】
第２のロック要素がハウジングに間接的に、かつ直接的に接続可能である。さらなる実施形態によると、駆動要素がスライドに連結されている。このスライドは、ハウジング内に配置され、ハウジングの案内装置によってカードの挿入方向と交差する、あるいはそれぞれ横切る方向に案内され、第２のロック要素がその上に構成される。この実施形態では、第１および第２のロック要素のロックを解除するために、駆動要素を駆動させることによって、スライドが変位可能である。さらなる実施形態によると、スライドが、ハウジングの案内装置によって、カードの挿入方向に対して垂直に交差する方向に案内される。その結果、特に堅固なロックが生じる。スライドおよび案内装置を介して、第２のロック要素がハウジングに間接的に接続される。弾性フックが、ハウジングの一面、たとえば底面から突出するが、これはハウジングに直接的に接続される第２のロック要素の一実施形態である。
【００２４】
さらなる実施形態によると、案内装置はスライドに少なくとも１つの第１の案内要素と、ハウジングに少なくとも１つの第２の案内要素とを有する。さらなる実施形態によると、案内要素が、スライドのリブ状の突起とハウジングの案内スロット、あるいはハウジングのリブ状突起とスライドの案内スロットとである。
【００２５】
さらなる実施形態によると、スライドを第２のロック要素によって第１のロック要素をロックする位置でプレテンションをかけるために、第２のばね装置は、一方がスライドに、他方がハウジングに支持されている。分配レバーを第１の位置に変位させるときに第１ロック要素が第２のロック要素に衝突すると、第２のロック要素が第２のばね装置の動作に逆らって側方に撓む。第１のロック要素が第２のロック要素にロック可能な位置に到達するとすぐに、スライドがプレテンションをかけられた第２のばね装置によって変位して戻るので、ロックが実行される。さらに、駆動要素を駆動させ、第２のばね装置の動作に逆らってスライドを変位させることによって、ロックを簡単に解除することができる。駆動要素を解除した後、第２のばね装置がスライドを変位させてその初期位置に戻す。さらなる実施形態によると、第２のばね装置がコイルばねである。
【００２６】
さらなる実施形態によると、駆動要素が、楔形の歯車、歯車列、摩擦車、ベルト・チェーン・ドライブ、連結歯車、または他の歯車を介してスライドに連結されている。この歯車によって、特に移動方向を変え、力を伝達することができる。楔形の歯車では、ロック解除運動をスライドに伝達することができる。このロック解除運動は、ロックおよびロック解除中にスライドの変位方向に対して垂直に向いている。その結果、駆動要素がハウジングの幅狭面に無理なく到達するように配置可能である。さらなる実施形態によると、駆動要素がロッドを介して第１のくさびに接続されている。このロッドはカードの挿入方向に対して平行に延びている。第１のくさびは、スライドの一端で第２のくさびと共に楔形の歯車を形成する。さらなる実施形態によると、駆動要素は直接的に、あるいはロッドを介して、スライドに接続されている。この実施形態では、駆動要素の変位がスライドに直接的に伝達される。
【００２７】
好ましい実施形態によると、駆動要素が、カード開口部と対向するハウジングの一面よりもカード開口部に近くなるように配置されている。その結果、駆動要素が特に親指で無理なく到達可能である。
【００２８】
さらなる実施形態によると、ハウジングにおけるカードの挿入方向に対して平行な１つ以上の面で、第１のブレーキ要素が内部の下端部に配置され、かつ／または、第２のブレーキ要素または案内要素が、内部の下端部と上端部の間の中間に配置され、かつ／または、第３のブレーキ要素が内部の上端部に配置される。これらのブレーキ要素を用いて、少なくとも１枚のカードがハウジングに完全に挿入可能であり、かつ／またはハウジングから部分的に押出された位置に落下しない。さらに、使用済みのカードが特定の寸法になるように正確に準拠していない場合、ブレーキ要素は公差を補うことができる。さらに、ブレーキ要素はハウジングから押出されたときにカードを減速することができるので、カードがハウジングから飛び出ることはない。第２のブレーキ要素の代わりに、案内要素があってもよい。この案内要素は、少なくとも１枚のカードを挿入方向に案内する。ブレーキ要素、および／または案内要素は、さらに、少なくとも１枚のカードが挿入されてハウジングから飛び出す時に詰まるのを防ぐ。
【００２９】
さらなる実施形態によると、ハウジングは内面に少なくとも１つのチャネルを有する。このチャネルは長手方向に延び、スロットを介してハウジングの内部に接続されており、ロッドがその中に案内され、第１のブレーキ要素、および／または第２のブレーキ要素または案内要素、および／または第３のブレーキ要素がその中に保持される。この実施形態によって、ロッドおよび／または第１のブレーキ要素および／または第２のブレーキ要素、あるいは案内要素および／または第３のブレーキ要素をハウジングに特に簡単に一体化することができる。さらに、ハウジングは有利な方法で製造可能である。たとえば、ハウジングは金属押出しによって製造可能である。
【００３０】
さらなる実施形態によると、第１のブレーキ要素、および／または第２のブレーキ要素または案内要素が、ロッドと一体的に構成される。この実施形態では、第１のブレーキ要素、および／または第２のブレーキ要素または案内要素が、ロッドによってチャネル内で保持されてもよい。
【００３１】
好ましくは、駆動要素、ロッド、くさび、および第１ブレーキ要素、および／または第２のブレーキ要素または案内要素が、１つ以上のプラスチックまたは１つ以上の金属から一体的に製造される。好ましくは、ロッドおよび第１のくさびが、硬質弾性プラスチックまたは金属からなる。さらに好ましくは、駆動要素が、硬質弾性プラスチックまたは金属、または軟質弾性プラスチックからなる。さらに好ましくは、第１のブレーキ要素、および／または第２のブレーキ要素または案内要素が、軟質の弾性プラスチックからなる。この部品を異なるプラスチックから一体型で製造することは、好ましくは、複数部品の射出成型工程で行われる。
【００３２】
さらなる実施形態によると、ハウジングが金属（たとえばアルミニウムやアルミニウム合金）、または異なる導電性材料からなる。その結果、挿入された１枚以上のカードを電磁波による損傷から（たとえば減磁に抵抗して）保護するために、周囲に対して遮蔽することができ、かつ／または、カードに組み込まれているＲＦＩＤ／ＮＦＣチップ（たとえばクレジットカードやＩＤカード）が読取られることから守ることができる。
【００３３】
さらなる実施形態によると、たとえば、駆動要素がハウジングの外面にある凹部に配置されている押しボタンまたはスライドボタンであり、そのため、凹部で１本の指で外側から駆動可能である。この実施形態は、突起要素なしで構成可能であり、駆動要素の不意の駆動に対抗するものである。
【００３４】
さらなる実施形態によると、ハウジングは水平断面が２つの平行面の両縁部でその間よりも厚く、かつ／または、２つのさらなる平行面が丸みをつけられている。この実施形態では、ハウジングが特に安定している。さらに、ハウジングは有利にも金属押出しによって製造可能である。
【００３５】
さらなる実施形態によると、軸受小穴を備えた板状の軸受キャリアが板状のキャリアから突出し、軸受キャリアの平面にある分配レバーを枢動可能に収納する軸受ピンが、この軸受小穴に保持されている。さらなる実施形態によると、軸受ピンからある距離でそれに平行な支持ピンが軸受キャリアから突出し、脚ばねがこの支持ピンに下周縁で保持されている。ここでは、脚ばねの第１のばね端部が分配レバーの下面にある第１の当接部で支持され、脚ばねの第２のばね端部が軸受ピンからある距離でキャリアの第２の当接部で支持されている。さらなる実施形態によると、スライドがキャリアで軸受キャリアの近傍に配置されている。さらなる実施形態によると、軸受キャリアが第１の案内要素を有し、スライドが第１案内要素で案内される第２の案内要素を有する。さらなる実施形態によると、スライドと分配レバーと脚ばねとを備えたキャリアが、カード開口部に対してハウジングの下部開口部を通ってハウジングに挿入されるので、分配レバーとスライドと脚ばねとが、ハウジング内に配置され、板状のキャリアが下部開口部を覆う。この実施形態は、特に簡単な方法で装着可能であり、同時にキャリアが下部開口部を覆うハウジングの底面となる。一面にカード開口部を備え、反対面に下部開口部を備えるハウジングは、さらに、金属押出しを連続的に行い、かつ押出された金属プロファイルを部品に細分することによって、特に簡単な方法で製造可能である。挿入位置にあるキャリアは、好ましくはハウジングに圧着するか、かつ／または係合するか、かつ／または接着することによって、ハウジングに間接的あるいは直接的に接続される。さらなる実施形態によると、軸受キャリアは側方に、ハウジングに圧着するための少なくとも１つの可変リブを有する。
【００３６】
カードホルダの例示的実施形態の添付の図面を参照しつつ、本発明を以下にさらに説明する。
【図面の簡単な説明】
【００３７】
【図１】カードが部分的に押出された第１の例示的実施形態を前部および側部から斜めにみた斜視図である。
【図２】同じカードホルダで、カードがないカードホルダの平面図である。
【図３】同じカードホルダのハウジングの平面図である。
【図４】ハウジングがなく、カードが部分的に押出された同じカードホルダを前部および側部から斜めにみた斜視図である。
【図５】ハウジングがなく、カードが部分的に押出された同じカードホルダを後部および側部から斜めにみた斜視図である。
【図６】同じカードホルダで、ハウジングがなくカードが完全に挿入されているカードホルダの背面図である。
【図７】同じカードホルダで、ハウジングがないカードホルダを右手側からみた図である。
【図８】図６のＶＩＩの拡大詳細図である。
【図９】図６のＶＩＩＩの拡大詳細図である。
【図１０】同じカードホルダで、ハウジングがなくＸの部分拡大詳細図を備えたカードホルダの背面図である。
【図１１】図９のＸＩの拡大詳細図である。
【図１２】分配レバーのロックが解除され、ハウジングの主面が切開されている第２の実施形態を前面からみた斜視図である。
【図１３】分配レバーがロックされ、ハウジングの主面が切開されている同じカードホルダを前面からみた斜視図である。
【図１４】分配レバーのロックが解除され、ハウジングの主面が切開されている第３の例示的実施形態を前面からみた斜視図である。
【図１５】分配レバーがロックされ、ハウジングの主面が切開されている同じカードホルダを前面からみた部分斜視図である。
【００３８】
本出願では、「頂部」と「底部」、ならびに「水平」と「垂直」が、ハウジングの上向きの端部にカード開口部があるカードホルダの位置を示す。そのため、カードはカード開口部を通ってハウジングの内部に垂直に下向きに挿入可能であり、ハウジングの壁部によって、内部から水平に出ない。
【００３９】
図１によると、カードホルダは直方体状（ｃｕｂｏｉｄａｌ）のハウジング１を有する。このハウジングは、２つの主面２，３と、２つの長い幅狭面４，５と、短い幅狭面にあるカード開口部６と、対向する短い幅狭面にある底面７とを有する。これらの面２，３，４，５はハウジング１の壁部である。
【００４０】
図２および図３によると、ハウジング１は長い幅狭面５にチャネル１０を有する。このチャネル１０は長手方向に延び、スロットを介してハウジング１の内部９に接続されている。ハウジングは幅狭面４，５の両方に設けられており、主面２，３よりも厚く、丸み１２、１３を備える。
【００４１】
ハウジング１の内部９は、たとえばＩＳＯ／ＩＥＣ  ７８１０および７８１３または７８１６による５枚のカード１１の重なりが正確に収まるように寸法決めされている。ハウジング１の寸法は、この場合、その中にほとんど隙間がないか、まったく隙間がなく、製造公差が許される状況でカード１１を収めるように選択される。
【００４２】
図２から図５によると、カードホルダには分配装置１４がある。この分配装置１４は、軸１６を中心に枢動可能な分配レバー１５を備える。分配レバー１５は一面に平坦なスライド面１７を有する。スライド面１７は、内面で主面３に当たっている。分配レバーは反対面に分配要素１８を有する。分配要素１８は階段状に配置され、軸１６から可変間隔を備える。これらの分配要素は、それぞれの場合、丸みを帯びた前縁部１９を有する。
【００４３】
分配要素１８の段の高さは、カード１１の壁部厚み、またはその断片に相当する。段の高さは、たとえば国際特許公開第ＷＯ２０１０／１３７９７５Ａ２号の８頁、１０行から２６行目に記載されているように寸法決めされる。分配要素１８の間隔は、特に、この引用文献の７頁、２７行から３２行目に示されている間隔に対応していてもよい。
【００４４】
枢動可能な軸受のために、分配レバー１５は、階段状の分配要素１８に加えて、平坦部２０を有し、そこから軸受ピン２１が突出している。
【００４５】
さらに、分配レバー１５は下縁部にフック状の第の１ロック要素２２を有する。
【００４６】
分配レバー１５は板状の軸受キャリア２３に取付けられている。この軸受キャリア２３は板状のキャリア２４から上向きに隆起している。板状の軸受キャリア２３は軸受小穴２５を有し、軸受ピン２１がその中に枢動可能に取付けられている。
【００４７】
図５および図６によると、支持ピン２６が軸受小穴２５からある距離をおいて軸受キャリア２３から水平方向に突出している。支持ピン２６では、脚ばねの形をした第１のばね装置２７がその内周２８に案内される。図４によると、第１のばね端部２９が、分配レバー１５の下面で、突起の形をした第１の当接部３０の片面で、溝３０の形をした第１の当接部３０に保持されており、第２のばね端部３１は、支持ピン２６からある距離をおいて底面２４で小さなフックの形をした第２の当接部に保持されている。
【００４８】
さらに、図４によると、軸受キャリア２３には主面２から心違いの部分に、水平方向の案内スロットの形をした第１の案内要素３３を有する。図５によると、案内スロットに加えて、スライド３４が底面２４の平坦上面に変位可能に取付けられている。図４によると、スライド３４が、垂直面にリブ状突起の形をした第２の案内要素３５を備えた案内スロットに係合する。
【００４９】
図５によると、反対の垂直面に、スライド３４が水平方向の支持リブ３６を有する。この支持リブ３６は、ハウジング１の主面３の内部に支持するためのものである。スライドは、その上面に、受け部３８およびロック縁部３９を備えた第２のロック要素３７を有する。このロック要素３７は、図６および図８に示すように、フック状の第１のロック要素２２によって後ろから係合可能である。
【００５０】
スライド３４と第２の当接部３２との間で、支持プレート４０がキャリア２４から垂直方向に上方に突出している。図１０および図１１によると、スライド３４はその近くの面に盲孔４１を有し、その中にコイルばねの形をした第２のばね装置４２が挿入されている。このコイルばねは一方が盲孔４１の内端部に、他方が支持プレート４０に支持されている。
【００５１】
図１によると、キャリア２４はハウジング１を下部開口部４３で終端させて、ハウジング１の底面７を形成する。
【００５２】
図１および図２によると、ハウジング１は、頂部の長い幅狭面５に、スライドボタンの形をした駆動要素４４を有する。スライドボタンは長い幅狭面５の外面にある凹部に配置され、そのため、凹部で１本の指を用いて外側から垂直方向に変位可能である。
【００５３】
図４および図６によると、駆動要素４４はチャネル１２で案内されるロッド４６に接続されている。好ましくは、この目的のために、ロッドは、水平断面が図４に示すような２重Ｔ字型の輪郭をロッド４６の上端部に有する。１つのＴ字バーがチャネル１０内で係合し、さらなるＴ字バーが内部９に配置され、２つのＴ字バーを接続するウェブがスロットを貫通する。ロッド４６は、下端部に第１のくさび４７を有する。このくさび４７は、内部９に向かって下方にくさび状に面取りされている。
【００５４】
盲孔４１から離れる面には、スライド３４が上方に突出した第２のくさび４８を有する。このくさび４８は、ハウジング１の隣接する長い幅狭面５に向かって面取りされている。
【００５５】
第１のくさび４７と第２のくさび４８とが面取り部で互いに当たり、楔形の歯車４９を形成する。
【００５６】
内部９に対向する長い面にあるロッド４６は、くさび４７に隣接するその下端部の近傍に、第１のブレーキ要素５０を有する。この第１のブレーキ要素５０は、バルジ部の形をしており、内部９に向いている。底部７とカード開口部６との間のほぼ中間に、内部９に面する長い面にあるロッド４６が、バルジ部の形をした、内部９に向く第２のブレーキ要素または案内要素５１を有する。図１０によると、第１ブレーキ要素５０および第２のブレーキ要素または案内要素５１が、カードが完全にハウジングに挿入されている場合、カード１１の側方の長縁部に当たる。その結果、カード９がハウジング１の長い幅狭面４に内側で押圧され、案内されて、減速し、落下しない。
【００５７】
第１のブレーキ要素５０、および第２のブレーキ要素または案内要素５１が、弾性材料、特に軟質弾性プラスチックからなる。
【００５８】
図４および図５によると、第３のブレーキ要素５２が、ロッド４６の上に、ハウジングの長い幅狭面５の内側に配置されている。図２および図４によると、第３のブレーキ要素５２が水平断面が２重Ｔ字の輪郭を有する本体である。１つのＴ字バーがカード開口部６の近傍でチャネル１０内で係合し、別のＴ字バーが内部９に配置される。２つのＴ字バーを接続するウェブが、スロット８を貫通する。別のＴ字バーのみが、ウェブに頂部に取付けられている。底部では、ウェブとＴ字バーとの間に隙間が存在するので、この隙間がばね舌片５３を形成する。
【００５９】
図６および図１０によると、ばね舌片５３がカード１１の側方の長縁部に当たり、これらのカードをハウジング１の長い幅狭面４に対して内方に押圧する。第３のブレーキ要素５２は、カードが完全に挿入されている場合（図６および図１０）または部分的にハウジング１から押出されている場合（図１および図４）、カード１１がハウジング１から落下するのを防ぐ。部分的に押出されている位置では、カード１１は、ハウジング１から落下せず、あるいは第２のブレーキ要素または案内要素５１によって案内される。
【００６０】
図５および図６によると、２つの幅狭面にある軸受キャリア２３が、ガイドピンの形（左手側）をし、可変リブの形（右手側）をした圧着要素５４，５５を有する。軸受キャリア２３を底部開口部４３を通ってハウジング１に挿入した後、圧着要素５４，５５がハウジング１内で軸受キャリア２３を堅固に圧着する。
【００６１】
カード１１がハウジング１に挿入されない場合、分配レバー１５は、図３に示すように、カード開口部６に向かって斜めに傾く位置にある。
【００６２】
カードの重なりを挿入する場合、カード１１の短い下端部が分配要素１８を押圧し、それによって、分配レバー１５が下方に枢動する。同時に、脚ばね２７に張力がかかる。最後に、第１のロック要素２２がスライド３４に衝突するので、このスライドがコイルばね４２の動作に反して変位する。第１のロック要素２２がスライド３４の受部器３８に係合すると、コイルばね４２がスライド３４を押し戻すので、フック状の第１のロック要素２２が第２のロック要素３７のロック縁部３９の後ろでロックする。
【００６３】
カード１１を分配するために、ユーザは駆動要素４４をわずかに下方に押す。この場合、第１くさび４７がコイルばね４２の動作に対抗して第２のくさび４８を変位させるので、第１のロック要素および第２のロック要素２２，３７のロックが解除され、脚ばね２７が少なくとも部分的に解除され、分配レバー１５がカード開口部６の方向に枢動する。この場合、カード１１は分配要素１８によってカード開口部６から押出される。分配要素１８の階段状の配置によって、カード１１は図１に示すように、扇形を広げた位置でカード開口部６から押出される。この位置では、ユーザは個々のカード１１を選択したり取り出したりしてもよく、かつ残りのカード１１を押し戻してもよい。
【００６４】
カード１１を挿入すると、脚ばね２７に張力が再びかかる。
【００６５】
好ましい実施形態によると、ハウジング１がアルミニウムからなる。
【００６６】
好ましい実施形態によると、以下の構成要素のうちの１つ以上がそれぞれ、１つ以上のプラスチックからなる：分配装置１４、分配レバー１５、キャリア２４、軸受キャリア２３、スライド３４、ロッド４６、駆動要素４４、楔形の歯車４９。
【００６７】
好ましい実施形態によると、ロッド４６と、駆動要素４４と、くさび４７と、第１のブレーキ要素および第２のブレーキ要素５０，５１とが一体的に構成されている。さらなる実施形態によると、ロッド４６およびくさび４７が、硬質弾性プラスチックまたは金属からなる。さらなる実施形態によると、駆動要素４４が、硬質弾性プラスチックまたは金属、あるいは軟質弾性プラスチックからなる。さらなる実施形態によると、第１のブレーキ要素５０、および／または第２のブレーキ要素または案内要素５１が、軟質弾性プラスチックからなる。好ましくは、この構成要素は、複数の構成要素を射出成型する方法で、複数の異なるプラスチックから製造される。
【００６８】
さらなる実施形態によると、第３のブレーキ要素５２が、硬質弾性プラスチックまたは軟質弾性プラスチックからなる。さらなる実施形態によると、第３のブレーキ要素５２が、硬質弾性プラスチックや金属、および軟質弾性プラスチックからなり、ここでは、ばね舌片５３が硬質弾性プラスチックからなり、第３のブレーキ要素５２が、硬質弾性プラスチックや金属からなる。
【００６９】
さらなる実施形態によると、第１のばね装置２７、および／または第２のばね装置４２が、ばね鋼、および／またはゴム、および／または軟質弾性プラスチックからなる。
【００７０】
図１２から図１５において、第１の例示的実施形態の構成部品に対応する第２および第３の実施形態の構成部品は、同じ参照番号がついている。
【００７１】
図１２および図１３によると、第２の例示的実施形態では、押しボタンの形をした駆動要素４４が水平のロッド４６を介してスライド３４に接続されている。押しボタンが、ハウジング１の下端部の近傍で、長い幅狭面５の凹部４５に配置されている。第１の例示的実施形態のように、第１のばね装置２７にプレテンションをかける。カード１１を分配するために、押しボタン４４を単に押圧するだけでよい。
【００７２】
図１４および図１５によると、第３の例示的実施形態では、カード開口部６に対してハウジング１の底面７にあるスライドボタンの形をした駆動要素４４が、垂直の接続ウェブ５６を介してスライド３４に接続されている。接続ウェブ５６は、ハウジングの底面７にある溝付き貫通路５７を通って延びている。第１の例示的実施形態のように、第１のばね装置２７にプレテンションをかける。カード１１を分配するために、スライドボタン４４を単に変位させるだけでよい。
【００７３】
第３の実施形態の切開された部分は、好ましくは第２の例示的実施形態のように構成される。
【符号の説明】
【００７４】
１  ハウジング
２，３  主面
４，５  長い幅狭面
６  カード開口部
７  底面
８  スロット
９  内部
１０  チャネル
１１  カード
１２，１３  丸み部
１４  分配装置
１５  分配レバー
１６  軸
１７  スライド面
１８  分配レバー
１９  前縁部
２０  平坦部
２１  軸受ピン
２２  第１のロック要素
２３  軸受キャリア
２４  キャリア
２５  軸受ピン
２６  支持ピン
２７  第１のばね装置
２８  内周縁
２９  第１のばね端部
３０  第１の当接部
３１  第２のばね端部
３２  第２の当接部
３３  第１の案内要素
３４  スライド
３５  第２の案内要素
３６  支持リブ
３７  第２のロック要素
３８  受け部
３９  ロック縁部
４０  支持プレート
４１  盲孔
４２  第２のばね装置
４３  下部開口部
４４  駆動要素
４５  凹部
４６  ロッド
４７  第１のくさび部
４８  第２のくさび部
４９  楔形の歯車
５０  第１のブレーキ要素
５１  第２のブレーキ要素または案内要素
５２  第３のブレーキ要素
５３  ばね舌片
５４  締着要素
５４  締着要素
５６  接続ウェブ
５７  溝付き貫通路
【図１】
2018187367.tif 000003
【図２】
2018187367.tif 000004
【図３】
2018187367.tif 000005
【図４】
2018187367.tif 000006
【図５】
2018187367.tif 000007
【図６】
2018187367.tif 000008
【図７】
2018187367.tif 000009
【図８】
2018187367.tif 000010
【図９】
2018187367.tif 000011
【図１０】
2018187367.tif 000012
【図１１】
2018187367.tif 000013
【図１２】
2018187367.tif 000014
【図１３】
2018187367.tif 000015
【図１４】
2018187367.tif 000016
【図１５】
2018187367.tif 000017
【外国語明細書】
2018187367000001.pdf
2018187367000002.pdf
2018187367000003.pdf
2018187367000004.pdf